(57)【要約】【課題】折り畳み式運搬用容器を、相対する側板をどちらからでも折り畳んで底板上に平行に折り重ねることができ、折り畳まれた側板を簡易な操作で立ち上げて容器を組み立てることができるように構成する。【解決手段】底板の側縁に立設させた支持部に、支持部の上方内側から下方外側へ傾斜して伸びたスリット状の湾曲した長穴を設け、側板の下端面には側板内面側に偏った位置から下方へ突出した回転軸部を設け、当該回転軸部の軸棒を前記長穴に係入して側板が回転可能に接続して構成する。【選択図】図１
2005255241.tif 000002
【特許請求の範囲】
【請求項１】
底板と、底板の側縁にヒンジ結合されて底板上に立ち上がる相対する一方の側板と、相対する他方の側板とからなり、それぞれの相対する側板が底板上に折り畳まれるように構成された折り畳み式運搬用容器において、
底板の側縁に立設させた支持部に、支持部の上方内側から下方外側へ傾斜して伸びたスリット状の長穴を設け、側板の下端面には側板内面側に偏った位置から下方へ突出した回転軸部を設け、当該回転軸部の軸棒を前記長穴に係入して側板が回転可能に接続された構成を有することを特徴とする折り畳み式運搬用容器。
【請求項２】
長穴は、容器内方へ弓形に膨らんで支持部上方から下方へ湾曲しながら傾斜した円弧状のスリット穴であることを特徴とする請求項１に記載の折り畳み式運搬用容器。
【発明の詳細な説明】
【技術分野】
【０００１】
本発明は、底板の周辺に側板を起立させて箱状に組み立てられ、底板上面に物品を収納して保管や運搬に供し、物品を取り出した後は、側板を底板に重ねて小さく折り畳むことのできる合成樹脂製の運搬用容器に関する。
【背景技術】
【０００２】
箱状に組み立てた折り畳み式運搬用容器に物品を収納して目的地まで移送し、目的地で容器を折り畳んで元の場所まで容器を返送する場合、折り畳まれた容器の嵩が小さい程、多数の容器を集約して運ぶことができ、保管の便宜も良い。
折り畳んだ状態で容器の高さが低くなるように設けた従来の運搬用容器として、例えば図８に示されるように、底板８１の両側にヒンジ部８２、８２を介して回転自在に連結された側板８３、８３を底板８１上に折り重ねたときに、底板８１と重なる一方の側板８３が傾斜状態で倒れ、その上に重なる他方の側板８３が水平状態で倒れるようにした構造のものがある（特許文献１参照）。
【０００３】
【特許文献１】特開２００３−２００３５号公報
【発明の開示】
【発明が解決しようとする課題】
【０００４】
丈の高い物品の運搬に用いるため、高さのある側板を用いて収納部が十分に深くなるように形成された容器では、折り畳んだときに底板に折り重なる相対する側板同士が面接合状態で平行に重なり合えば、折り畳んだ容器の嵩は最も小さくなる。従って、折り畳んだ側板が傾斜状態に保持される前記従来の容器は、十分に嵩が小さいものとはいえず、また、折り畳んだ容器を多段に積み重ねると、下段容器の傾斜して倒れた側板のヒンジ部に大きなストレスがかかり、この部分の劣化を早めるという問題がある。
【０００５】
容器を折り畳んだときに側板同士を平行に重ね合わす手段として、相対する側板のヒンジ部を上下に位置をずらして設け、両側板が底板に食い違いに倒れるようにする構造が考えられる。しかし、この構造では、相対する側板の高さ寸法が異なるため側板の共用ができず、高さの異なる二種類の側板を成形する金型が必要となって製造コストが高くなり、また、折り畳み操作は、最初に低位のヒンジ部で支持された側板、次いで高位のヒンジ部で支持された側板の順に行わなければならないため、折り畳む前に、倒す側板を一々確認する作業が必要となり、作業効率が悪いという問題がある。
【０００６】
他の手段として、側板を底板で回転自在に支持するヒンジ部を、底板の側縁部に縦に真っ直ぐ伸びた長穴を設けるとともに、この長穴で側板の下部に設けた回転軸を支持して、側板の回転軸が長穴に沿って上下方向へ変位可能に構成し、容器を折り畳むときに、底板を挟んで相対する側板の回転支点が上下に食い違うようにする構造が考えられる。この構造では、相対する側板を共用でき、また、何れの側板からでも折り畳みが可能となるが、折り畳んだ容器を組み立てる際に、一旦側板を長穴に沿って上方へ平行に持ち上げてからでないと、側板を回転させることができないという操作上の不都合がある。また、組み立てた容器が十分に深くなるよう、側板を底板上面に一杯に重なる大きさに形成した場合には、折れ重なった下側の側板の上端部分が上側の側板の根元部分又は底板内壁面にきっちりと当たって底板上に圧接状態で嵌り込み、そこから側板を引き起こすには圧接状態を解除する大きな力が必要となって、容器を簡単に組み立てることができなくなり、取り扱いに不便を来たすという問題がある。
【０００７】
本発明は従来技術の有するこのような問題点に鑑み、側板を底板上に折り重ねて畳むことのできる運搬用容器において、相対する側板をどちらからでも折り畳んで底板上に平行に折り重ねることができ、且つ折り畳まれた側板を簡易な操作で立ち上げて容器を組み立てることができるようにすることを課題とする。
【課題を解決するための手段】
【０００８】
前記課題を解決するため本発明の折り畳み式運搬用容器は、底板と、底板の側縁にヒンジ結合されて底板上に立ち上がる相対する一方の側板と、相対する他方の側板とからなり、それぞれの相対する側板が底板上に折り畳まれるように構成され、底板の側縁に立設させた支持部に、支持部の上方内側から下方外側へ傾斜して伸びたスリット状の長穴を設け、側板の下端面には側板内面側に偏った位置から下方へ突出した回転軸部を設け、当該回転軸部の軸棒を前記長穴に係入して側板が回転可能に接続された構成を有することを特徴とする。
前記長穴は、容器内方へ弓形に膨らんで支持部上方から下方へ湾曲しながら傾斜した円弧状のスリット穴であることが好ましい。
【０００９】
これによれば、容器を折り畳んだときに、各側板は底板上で互いに隙間を空けずに平行に重なり合い、容器を小さな嵩に納めることができる。容器を折り畳むため、側板を容器内方へ倒すと、側板が回転するのに伴って側板の回転軸部が長穴に沿って容器外側へ変位するので、底板上に倒れた側板の上端部と、対向する側板の根元部分や底板内壁面との間には適宜な隙間が確保され、側板が圧接状態で嵌まり込むことはない。また、容器を組み立てるため、倒れた側板に上方へ引き上げる力を加えれば、回転軸部が傾斜した長穴に沿って上方へ変位し、力をかけずに簡単に側板を回転させて、容器を組み立てることができる。長穴が円弧状に形成されていれば、よりスムーズに側板を立ち上げることができる。
【発明を実施するための最良の形態】
【００１０】
本発明の好適な一実施形態を図面を参照して説明する。
図１は本発明の折り畳み式運搬用容器の組み立て状態と折り畳み状態の外観図、図２は組み立てた容器の短手辺中央と長手辺中央における縦断半面図、図３はヒンジ部の構成を示す要部拡大断面図である。なお、図１では容器表面に表れる凹凸の図示は省略してある。
【００１１】
各図に示されるように、この容器は、底板１の周囲側縁に、ヒンジ部４、５を介して短手側板２、２と長手側板３、３を回転自在に連結して構成されている。
【００１２】
底板１は、物品が積載される平面視矩形の収納面１１の周囲に、短手側板２、２を支持する支持部１２、１２と、長手側板３、３を支持する支持部１３、１３とを、それぞれ収納面１１を取り囲むように一体に連ねて形成されている。
詳しくは、図２及び図３に示されるように、支持部１２、１３は、それぞれ収納面１１の縁部から垂直に立ち上がった内面１２ａ、１３ａと、内面１２ａ、１３ａの上端から水平に外折れした上面１２ｂ、１３ｂと、上面１２ｂ、１３ｂの端部から下方へ折り返された外面１２ｃ、１３ｃとにより下向きコ字形の断面を呈する屈曲した枠形をなし、その枠内部に前記各面と交差した補強用のリブ１２ｄ、１３ｄを一体に設け、さらにリブ１２ｄ、１３ｄの面内に、後述する長穴４２、５２を設けて形成されている。
両支持部は、支持部１２の収納面１１からの突出高さが支持部１３の突出高さの略半分に設定され、また、支持部１２の上面１２ｂは短手側板２の厚み（Ｄs）、支持部１３の上面１３ｂは長手側板３の厚み（Ｄl）とそれぞれ略同じ厚み幅に設けてあり、両側板の下端面を上面１２ｂ、１３ｂ上に載せたときに、両側板の内外両面が両支持部の内外両面と略面一となって、両側板が両支持部上に垂直に起立して支持されるようになっている。
また、支持部１３の内面１３ａの上部には、外面１３ｃ側へ凹んだ凹段部１３ｅを設けてある。
【００１３】
短手側板２と長手側板３は、それぞれ矩形板体の周縁に、その内面２１、３１側から外面２２、３２側へ張り出したフランジ２３、３３を一体に設けて形成されている。
詳しくは、短手側板２は、その幅が底板１の収納面１１の短手辺の長さと略同じ寸法、その高さが収納面１１の長手辺の長さの３／４程度の寸法の大きさに形成され、その下端面２３ａに後述する回転軸部４１を一体に突設させ、また、短手側板２の両側端面の上部に長手側板３の被係合部３４と弾発的に係合する係合突部２４をそれぞれ設け（図４参照）、内面２１の下部には短手側板２のフランジ２３の外端部が嵌まる凹溝２５を設けてある。
また、長手側板３は、底板１の収納面１１上に略一杯に重なり合う大きさ、つまりその幅が収納面１１の長手辺、その高さが収納面１１の短手辺の長さとそれぞれ略同じ寸法の大きさに形成され、短手側板２と同様に、その下端面３３ａに後述する回転軸部５１を一体に突設させ、また、内面３１の上部両側に短手側板２の係合突部２４が弾発的に係合する被係合部３４をそれぞれ設け、内面３１の下部には外面３２側へ凹んだ凹面部３５を設けてある。
【００１４】
ヒンジ部４は、底板１に短手側板２を回転自在に連結し、図３（Ａ）に示されるように、短手側板２の下端面２３ａに突設した回転軸部４１と、支持部１２のリブ１２ｄに設けたスリット状の長穴４２により構成されている。また、ヒンジ部５は、底板１に長手側板３を回転自在に連結し、同図（Ｂ）に示されるように、長手側板３の下端面３３ａに突設した回転軸部５１と、支持部１３のリブ１３ｄに設けたスリット状の長穴５２により構成されている。
【００１５】
詳しくは、ヒンジ部４の回転軸部４１は、短手側板２の下端面２３ａの中心より内面２１側へ偏った位置から下方へ適宜な長さ垂下した突片４１ａの先端に、下端面２３ａと平行に伸びた軸棒４１ｂを一体に設けてなっている。また、長穴４２は、リブ１２ｄの面内に、軸棒４１ｂが略一杯に嵌まる大きさの幅を有し、支持部１２の内面１２ａと上面１２ｂとの角部付近から、容器内方へ弓形に膨らみながら適宜な曲率半径で湾曲しつつ外面１２ｃ側へ下り傾斜した、斜めに伸びた円弧状の開口を形成してなっている。長穴４２の高さ（Ｈs）は、短手側板２の厚み（Ｄs）と略同じとしてある。
そして、ヒンジ部４は、長穴４２に係入した回転軸部４１の軸棒４１ｂを支持して短手側板２を底板１の短手辺と平行に連結し、且つ内面１２ａから上面１２ｂに至る支持部１２の廻りで短手側板２を回転自在に支持するようになっている。また、短手側板２を収納面１１と平行になるまで回転させた状態で、長穴４２に係入した軸棒４１ｂを、長穴４２の上縁から下縁に亘ってスライド自在に支持し、回転軸部４１の位置を上下方向及び水平方向へ変位させることができるようになっている。
【００１６】
また、ヒンジ部５の回転軸部５１は、長手側板３の下端面３３ａの中心より内面３１側へ偏った位置から下方へ適宜な長さ垂下した突片５１ａの先端に、下端面３３ａと平行に伸びた軸棒５１ｂを一体に設けてなっている。また、長穴５２は、リブ１３ｄの面内に、軸棒５１ｂが略一杯に嵌まる大きさの幅を有し、支持部１３の内面１３ａと上面１３ｂとの角部付近から、容器内方へ弓形に膨らみながら適宜な曲率半径で湾曲しつつ外面１３ｃ側へ下り傾斜した、斜めに伸びた円弧状の開口を形成してなっている。長穴５２の高さ（Ｈl）は、長手側板３の厚み（Ｄl）と略同じとしてある。
そして、ヒンジ部５は、ヒンジ部４と同様に、長穴５２に係入した回転軸部５１の軸棒５１ｂを支持して長手側板３を底板１の長手辺と平行に連結し、且つ内面１３ａから上面１３ｂに至る支持部１３の廻りで長手側板３を回転自在に支持するようになっている。また、長手側板３を収納面１１と平行になるまで回転させた状態で、長穴５２に係入した軸棒５１ｂを、長穴５２の上縁から下縁に亘ってスライド自在に支持し、回転軸部５１の位置を上下方向及び水平方向へ変位させることができるようになっている。
なお、図示されないが、ヒンジ部４、５は、それぞれ支持部１２と支持部１３に沿って適宜な間隔を離して複数箇所に設けてある。
【００１７】
これらの部材により構成される本形態の容器は、短手側板２、２と長手側板３、３をそれぞれ支持部１２、１２と支持部１３、１３上に立ち上げ、両短手側板の係合突部２４、２４を両長手側板の被係合部３４、３４にそれぞれ係合し、隣接側板同士を一体に連結して組み立てられる。組み立てられた容器は、図１に示されるように、底板１の収納面１１上が広く開放するとともに、その廻りで高さのある短手側板２、２と長手側板３、３とが垂直に起立し、丈の高い物品を収納して運搬したり保管したりすることができる。
【００１８】
また、容器の折り畳み操作は、以下のようにして行うことができる。
図４に示されるように、折り畳みは短手側板２、２から行ない、先ず、短手側板２のどちらかを容器内方へ押し倒す。このとき、短手側板２を外側から押して弾発性を備えた係合突部２４に力が加われば、係合突部２４が被係合部３４から外れ、短手側板２はヒンジ部４を軸として容器内方へ回転する。この時の回転支点は長穴４２の上縁となる（同図（Ａ））。
短手側板２を、その先端が収納面１１に当たるまで回転させ、同板から手を離せば、短手側板２の重みにより軸棒４１ｂが長穴４２に沿って下方へスライドし、短手側板２の元端部側が下方へ変位して、短手側板２は収納面１１に平行に重なり合う（同図（Ｂ）、（Ｃ））。重なり合った位置で軸棒４２ｂは長穴４２の下縁に位置する。
そして、他方の短手側板２も同様に容器内方へ押し倒せば、収納面１１と重なった短手側板２の上面に平行に重なり合い、両板は収納面１１を挟んで相対する支持部１２、１２の間に水平に倒れて納まる（同図（Ｄ））。
【００１９】
短手側板２、２を折り畳んだならば、図５に示されるように、長手側板３、３を折り畳む。
先ず、長手側板３のどちらかを容器内方へ押し倒し、ヒンジ部５を軸に回転させる。長手側板３は収納面１１と略同じ大きさであるが、支持部１３に凹段部１３ｅが、長手側板３の内面３１に凹面部３５がそれぞれ設けてあるので、長手側板３が収納面１１と平行に倒れても、その先端が対向する支持部１３や長手側板３に衝突することはない。この時の回転支点は長穴５２の上縁となる（同図（Ａ））。
長手側板３を、その先端が支持部１３の凹段部１３ｅに係止するまで回転させ、同板から手を離せば、長手側板３の重みにより軸棒５１ｂが長穴５２に沿って下方へスライドし、長手側板３の元端部側が下方へ変位して、同側の支持部１３の凹段部１３ｅに係止する。両端が凹段部１３ｅ、１３ｅに係止された長手側板３は、収納面１１上に重なり合った前記短手側板２、２の上面に平行に重なる（同図（Ｂ）、（Ｃ））。重なった位置で軸棒５２ｂは長穴５２の下縁に位置する。
そして、他方の長手側板３も同様に容器内方へ押し倒せば、収納面１１上に倒れた長手側板３の上面に平行に重なり合い、両板は収納面１１を挟んで相対する支持部１３、１３の間に水平に倒れて納まる（同図（Ｄ））。
【００２０】
折り畳まれた容器は、図６に示されるように、収納面１１上に短手側板２、２と長手側板３、３とが、互い上下に隙間を空けずに平行に重なり合って小さな嵩に納められ、そのまま容器を多段に重ね、集約して運搬し、保管することが可能である。
【００２１】
また、容器の組み立ては、折り畳み操作と逆の手順で行うことができる。この際、折り畳まれた短手側板２と長手側板３は、ともに圧接状態で嵌まり込んではいないので、両側板を簡単に引き上げることが可能である。
容器の組み立ては、最初に長手側板３、３を立ち上げ、次いで短手側板２、２を立ち上げて行い、それぞれ上下に相重なった側板の内、上段の側板は、当該側板の端部を把持して持ち上げれば、長穴４２、５２の上縁に係入した軸棒４１ｂ、５１ｂを支点に回転して、そのまま支持部１２、１３の上面１２ｂ、１３ｂに乗り上げ、両支持部上に起立させることができる。
また、同様に、下段の側板もそれぞれ端部を把持して持ち上げれば、そのまま支持部１２、１３の上面１２ｂ、１３ｂに乗り上げさせて、両支持部上に起立させることができる。
すなわち、図７は下段の短手側板２を引き上げる状態を示しているが、収納面１１上に重なった短手側板２の先端を上方へ引き上げると、その下端面２３ａが支持部１２の内面１２ａに当たる。このとき、長穴４２の下縁に係入している軸棒４１ｂには、容器内方へ水平に引張る力Ｆがかかる。この力Ｆは、長穴４２が傾斜しているため、軸棒４１ｂの中心とその周面が長穴４２の周面と接した点を結ぶ方向の力Ｆ１と、軸棒４１ｂを上方へ押す力Ｆ２とに分解され、この力Ｆ２によって軸棒４１ｂは長穴４２に沿って上方へ押し上げられる。そして、そのまま短手側板２を引き上げ続ければ、短手側板２は軸棒４１ｂを支点に容器外側に向かって回転しながら、軸棒４１ｂが長穴４２に沿って上方へ変位するのに伴って下端面２３ａが支持部１２の周面に沿って上方へ持ち上がり、支持部１２の上面１２ｂに乗り上がり、支持部１２上に起立する。
長手側板３、３、短手側板２、２の順に立ち上げたならば、両短手側板を両長手側板の間に押し込めば、係合突部２４と被係合部３４が弾発的に係合して隣接側板同士が一体化し、容器は上面を開口した箱状に組み立てられる。
このように、容器を組み立てる際、側板の回転軸の位置を確認したり、回転させる前に側板を上方へ持ち上げたりする操作は一切不要であり、側板を持ち上げ、ヒンジ部４、５を軸として回転させるという簡単な操作で組み立てることが可能である。
【００２２】
なお、図示した形態では、容器周辺の全てのヒンジ部を、回転軸部と長穴により構成したが、二対の側板の内の一方のヒンジ部のみが前記構成であってもよい。また、長穴はスリット状に設けたが、回転軸部を回転自在に且つ変位自在に支持する構成であれば他の形状に設けてもよい。図示した容器の形態は一例であり、本発明は他の適宜な形態で構成可能である。
【図面の簡単な説明】
【００２３】
【図１】本発明の一実施形態の折り畳み式運搬用容器の組み立て状態と折り畳み状態の外観図である。
【図２】図１の組み立てた容器の短手辺中央（Ａ）と長手辺中央（Ｂ）における縦断半面図である。
【図３】（Ａ）は短手辺側、（Ｂ）は長手辺側のそれぞれヒンジ部の構成を示す要部拡大断面図である。
【図４】短手側板の折り畳み操作を説明するための図である。
【図５】長手側板の折り畳み操作を説明するための図である。
【図６】図１の折り畳んだ容器の短手辺中央（Ａ）と長手辺中央（Ｂ）における縦断面図である。
【図７】容器を組み立てる際、下段の側板を引き上げる操作で軸部にかかる力の作用を説明するための図である。
【図８】従来の折り畳み式運搬用容器の断面図である。
【符号の説明】
【００２４】
１  底板、１１  収納面  １２、１３  支持部、２  短手側板、３  長手側板、４、５  ヒンジ部
【図１】
2005255241.tif 000003
【図２】
2005255241.tif 000004
【図３】
2005255241.tif 000005
【図４】
2005255241.tif 000006
【図５】
2005255241.tif 000007
【図６】
2005255241.tif 000008
【図７】
2005255241.tif 000009
【図８】
2005255241.tif 000010